(57)【特許請求の範囲】
【請求項１】
複数のクライアント信号を波長多重して伝送するＷＤＭネットワークの管理装置において、
ＷＤＭ端末装置に接続されており、ＷＤＭネットワークの全てのＷＤＭ端末装置及びＷＤＭ−ＡＤＭ装置及びＷＤＭ端末装置に接続されているＳＯＮＥＴ装置をプロビジョニングするプロビジョニング手段と、
ＷＤＭネットワークの全てのＷＤＭ端末装置及びＷＤＭ−ＡＤＭ装置及びＷＤＭ端末装置に接続されているＳＯＮＥＴ装置のアラーム監視を行うアラーム監視手段と、
ＷＤＭネットワークの全てのＷＤＭ端末装置及びＷＤＭ−ＡＤＭ装置で検出した受信信号レベルに基づいて各ＷＤＭ端末装置及びＷＤＭ−ＡＤＭ装置の信号出力レベルを調整する出力レベル調整手段を
有することを特徴とするＷＤＭネットワークの管理装置。
【発明の詳細な説明】
【０００１】
【発明の属する技術分野】
本発明は、ＷＤＭネットワークの管理装置に関し、特に、ＷＤＭネットワークにクライアント信号を収容するＷＤＭネットワークの管理装置に関する。
【０００２】
【従来の技術】
従来、ＷＤＭ（波長分割多重）システムへのクライアント信号の収容は、１波毎に別々の光ファイバを使用して行っており、全てのクライアント信号はＷＤＭシステムの内部または直近にて、トランスポンダにより一度、光／電気変換されたのち電気／光変換されてからＷＤＭシステムに収容されている。これは、ＷＤＭシステムまで供給されるクライアント信号の波長と、ＷＤＭシステム内における波長とが異なるためである。
【０００３】
従来、遠隔地に存在する複数のクライアント信号を収容しようとした場合、２つの方法が取られている。第１の方法は、図１に示すように、遠隔地から収容するＷＤＭシステムまでの間、収容すべきクライアント信号分の光ファイバを使用して１波ずつ伝送し、ＷＤＭシステムのＷＤＭ端末装置１０，１１またはＡＤＭ（ａｄｄ  ｄｒｏｐ  ｍｕｌｔｉｐｌｘｅｒ）１２にトランスポンダを介して収容する。
【０００４】
第２の方法は、図２に示すように、遠隔地でいったん小容量ＷＤＭシステムのＷＤＭ端末装置１５で波長多重して最終的に収容するＷＤＭシステム間近まで伝送し、小容量ＷＤＭシステムのＷＤＭ端末装置１６で１波毎に分離し、それからトランスポンダを介して最終的なＷＤＭシステムのＷＤＭ端末装置１０，１１またはＷＤＭ−ＡＤＭ装置１２に収容する。
【０００５】
なお、ＷＤＭ端末装置１０，１１とＷＤＭ−ＡＤＭ装置１２との間では、例えば波長１５００ｎｍ帯で０．４ｎｍ間隔の数１０チャネルの波長多重信号を送受信し、ＷＤＭ端末装置１５，１６間では、例えば波長１５００ｎｍ帯で１．６ｎｍ間隔の数チャネル〜１０数チャネルの波長多重信号を送受信する。
【０００６】
また、従来、長距離ＷＤＭシステム、中短距離ＷＤＭシステム、ＳＯＮＥＴシステムのＭＵＸ（ｍｕｌｔｉｐｌｘｅｒ）それぞれは、独自のＥＭＳ（エレメント・マネージメント・システム）と、独自のデータリンクを使用して独立にシステム設定及び管理されている。従って、同一顧客が各システムを組合せてネットワークを構成する場合、複数のＥＭＳを使用してネットワーク全体を管理する必要があり、複雑な管理を必要としていた。
【０００７】
【発明が解決しようとする課題】
しかし、第１の方法の場合、遠隔地からＷＤＭシステムまでの間、収容するクライアント信号の数だけ光ファイバを敷設または借用する必要があり、コストが高くなるという問題があった。
【０００８】
第２の方法の場合、遠隔地及び最終的に収容するＷＤＭシステムの直前の２個所に小容量ＷＤＭシステムのＷＤＭ端末装置１５，１６を設置する必要があり、コストが高くなるという問題があった。
【０００９】
また、従来は、長距離ＷＤＭシステム、中短距離ＷＤＭシステム、ＳＯＮＥＴ（Ｓｙｎｃｈｒｏｎｏｕｓ  Ｏｐｔｉｃａｌ  Ｎｅｔｗｏｒｋ）システムのＭＵＸ（ｍｕｌｔｉｐｌｘｅｒ）それぞれは、独自のＥＭＳ（エレメントマネージメントシステム）と、独自のデータリンクを使用して独立にシステム設定及び管理されている。従って同一顧客が各システムを組合せてネットワークを構成する場合、複数のＥＭＳを使用してネットワーク全体を管理する必要があり、複雑な管理を必要としていた。
【００１０】
本発明は、上記の点に鑑みなされたものであり、遠隔地からの複数のクライアント信号を低コストで収容することができるネットワークの管理装置を提供することを目的とする。
【００１１】
【課題を解決するための手段】
請求項１に記載の発明は、ＷＤＭ端末装置に接続されており、ＷＤＭネットワークの全てのＷＤＭ端末装置及びＷＤＭ−ＡＤＭ装置及びＷＤＭ端末装置に接続されているＳＯＮＥＴ装置をプロビジョニングするプロビジョニング手段と、
ＷＤＭネットワークの全てのＷＤＭ端末装置及びＷＤＭ−ＡＤＭ装置及びＷＤＭ端末装置に接続されているＳＯＮＥＴ装置のアラーム監視を行うアラーム監視手段と、
ＷＤＭネットワークの全てのＷＤＭ端末装置及びＷＤＭ−ＡＤＭ装置で検出した受信信号レベルに基づいて各ＷＤＭ端末装置及びＷＤＭ−ＡＤＭ装置の信号出力レベルを調整する出力レベル調整手段を有することにより、
ＷＤＭネットワークを構成する長距離ＷＤＭ端末装置及び短距離ＷＤＭ端末装置及びＷＤＭ−ＡＤＭ装置及びＳＯＮＥＴ装置が伝送する各クライアント信号の波長を異ならせることができ、遠隔地の短距離ＷＤＭ端末装置から伝送される波長多重されたクライアント信号を１波毎に分離することなく他のクライアント信号にアッドできるので波長多重することができ、ＷＤＭネットワークを構成するＷＤＭ端末装置及びＷＤＭ−ＡＤＭ装置及びＳＯＮＥＴ装置それぞれのアラーム監視を一カ所で行うことができ、ＷＤＭネットワークを構成するＷＤＭ端末装置及びＷＤＭ−ＡＤＭ装置及びＳＯＮＥＴ装置それぞれの信号出力レベルをリアルタイムに最適値に自動調整することができる。
【００１８】
【発明の実施の形態】
図３は、本発明を用いたＷＤＭシステムの一実施例のシステム構成図を示す。同図中、長距離（ロングホール）ＷＤＭシステムは、長距離ＷＤＭ端末装置２０，２１及びＷＤＭ−ＡＤＭ装置２２及びその間を接続する光ファイバで構成されている。ルータ２４からのクライアント信号は光ファイバを伝送されトランスポンダを介して長距離ＷＤＭ端末装置２０，２１に収容される。
【００１９】
遠隔地では、ルータ２６，２７からのクライアント信号は光ファイバを伝送されトランスポンダを介して近距離（メトロ）ＷＤＭシステムを構成する短距離ＷＤＭ端末装置２８に収容される。また、ルータ３０からのクライアント信号は光ファイバを伝送されＳＯＮＥＴシステムのＭＵＸ（ＳＯＮＥＴ−ＭＵＸ）３２で多重化されたのち、トランスポンダを介して短距離ＷＤＭシステムを構成する短距離ＷＤＭ端末装置２８に収容される。
【００２０】
短距離ＷＤＭ端末装置２８では収容したクライアント信号を波長多重して伝送し、波長多重したまま長距離ＷＤＭ端末装置２０，２１及びＷＤＭ−ＡＤＭ装置２２に収容する。ここで、短距離ＷＤＭ端末装置２８では、例えば波長１５００ｎｍ帯で０．４ｎｍ間隔の数チャネル〜１０数チャネルの波長多重信号を送受信し、長距離ＷＤＭ端末装置２０，２１及びＷＤＭ−ＡＤＭ装置２２では、波長１５００ｎｍ帯で０．４ｎｍ間隔の数１０チャネルの波長多重信号を送受信する。このとき、任意のクライアント信号は、短距離ＷＤＭシステム及び長距離ＷＤＭシステムにおいて、同一波長で伝送される。つまり、短距離ＷＤＭ端末装置２８で波長多重化された光信号はトランスポンダを介することなく、即ち、光／電気／光変換されることなく長距離ＷＤＭシステムに収容される。
【００２１】
また、長距離ＷＤＭ端末装置２０には、共通ＥＭＳ端末装置３４が接続されている。共通ＥＭＳ端末装置３４は、長距離ＷＤＭ端末装置２０，２１及びＷＤＭ−ＡＤＭ装置２２、及び短距離ＷＤＭ端末装置２８及びＳＯＮＥＴ−ＭＵＸ３２全てを一括してネットワーク設定を行い、かつ、管理する。なお、共通ＥＭＳ端末装置３４は長距離ＷＤＭ端末装置２０に限らず、長距離ＷＤＭ端末装置２１やＷＤＭ−ＡＤＭ装置２２に接続することが可能である。
【００２２】
図４は、長距離ＷＤＭ端末装置２０，２１の一実施例のブロック構成図を示す。なお、本実施例では、クライアント信号の流れを実線で示し、制御信号の流れを破線で示す。
【００２３】
同図中、遠隔地から短距離ＷＤＭシステムにて伝送されてきた波長多重された複数のクライアント信号は、ＷＤＭ一括送信アンプ４２に供給され、ＷＤＭ一括送信アンプ４２に併設された複数波長一括分散補償器４０で短距離ＷＤＭ伝送によって、伝送で蓄積された分散を次の長距離ＷＤＭ伝送に適切なレベルまで補償される。分散補償された波長多重クライアント信号は、ＷＤＭ一括送信アンプ４２にて波長多重部４４への入力として適切な出力レベルに調整される。
【００２４】
ＷＤＭ一括送信アンプ４２の出力レベルは、ＷＤＭ一括送信アンプ４６の出力をスペクトラムアナライザ４８でモニタした結果に基づいてアンプ制御器５０から制御される。また、ＷＤＭ一括送信アンプ４６の出力レベルもスペクトラムアナライザ４８のモニタ結果に基づいてアンプ制御器５１から制御される。
【００２５】
ＷＤＭ一括送信アンプ４２にて出力レベル調整された波長多重クライアント信号は、波長多重部４４に入力され、ここで他の波長多重クライアント信号やトランスポンダ５８を介して１波毎に収容しているクライアント信号と波長多重される。波長多重されたＷＤＭ信号は、ＷＤＭ一括送信アンプ４６にてレベル調整されると共に、複数波長一括分散補償器４５で次のＷＤＭ伝送性能を確保するための分散補償を行われ長距離ＷＤＭネットワークに送出される。
【００２６】
一方、長距離ＷＤＭネットワークで伝送されてきたＷＤＭ信号は、ＷＤＭ一括受信アンプ５４に供給され、複数波長一括分散補償器５２で長距離ＷＤＭ伝送により蓄積された分散を補償され、またＷＤＭ一括受信アンプ５４でレベル調整される。分散補償及びレベル調整されたＷＤＭ信号は、その後、分離波長可変分離部５６で分離される。
【００２７】
分離波長可変分離部５６は、ＷＤＭ信号を１波から複数波長まで多重信号から設定で自由に分離できる。１波で分離された信号は、トランスポンダ５８を介してクライアント側（ルータ経由）に送出される。
【００２８】
波長多重されたまま遠隔地に伝送される複数波長多重信号は、分離波長可変分離部５６で分離された後、ＷＤＭ一括送信アンプ６２で、次の短距離ＷＤＭ伝送に適切なレベルに増幅されると共に複数波長一括分散補償器６０で、次のＷＤＭ伝送性能を確保するための分散補償を行われ、短距離ＷＤＭネットワークに送出される。
【００２９】
ＷＤＭ一括送信アンプ５４の出力レベルは、ＷＤＭ一括送信アンプ５４の出力をスペクトラムアナライザ５３でモニタした結果に基づいてアンプ制御器５５から制御される。また、ＷＤＭ一括送信アンプ６２の出力レベルもＷＤＭ一括送信アンプ６２の出力をスペクトラムアナライザ６３でモニタした結果に基づいてアンプ制御器６４から制御される。
【００３０】
図５は、ＷＤＭ−ＡＤＭ装置２２の一実施例のブロック構成図を示す。同図中、遠隔地から短距離ＷＤＭシステムにて伝送されてきた波長多重された複数のクライアント信号は、ＷＤＭ一括送信アンプ１４２に供給され、ＷＤＭ一括送信アンプ１４２に併設された複数波長一括分散補償器１４０で短距離ＷＤＭ伝送により蓄積された分散を次の長距離ＷＤＭ伝送に適切なレベルまで補償される。分散補償された波長多重クライアント信号は、ＷＤＭ一括送信アンプ１４２にて分離波長可変アッド／ドロップ部１４４への入力として適切な出力レベルに調整される。ＷＤＭ一括送信アンプ１４２の出力レベルは、ＷＤＭ一括送信アンプ１４２の出力をスペクトラムアナライザ１４１でモニタした結果を基に、アンプ制御器１４３から制御される。
【００３１】
出力レベル調整された波長多重クライアント信号は、分離波長可変アッド／ドロップ部１４４で、他の波長多重クライアント信号や１波毎に収容しているクライアント信号とともに、長距離ＷＤＭ端末装置２０からＷＤＭ一括送信アンプ１２０を通して供給される自ノードを通過する波長にアッド（波長多重）される。アッドされた信号の束は、ＷＤＭ一括送信アンプ１４８及び複数波長一括分散補償器１４６で次のＷＤＭ伝送性能を確保するための分散補償されると共に適切なレベルに調整され、長距離ＷＤＭネットワークに送出される。ＷＤＭ一括送信アンプ１４８の出力レベルは、ＷＤＭ一括送信アンプ１４８の出力をスペクトラムアナライザ１４９でモニタした結果に基づいてアンプ制御器１５０から制御される。
【００３２】
一方、長距離ＷＤＭ端末装置２１から長距離ＷＤＭネットワークで伝送されてきたＷＤＭ信号は、複数波長一括分散補償器１５２で長距離ＷＤＭ伝送により蓄積された分散を補償され、またＷＤＭ一括受信アンプ１５４でレベル調整される。その後、分離波長可変アッド／ドロップ部１５６に供給され、ここで自ノードでドロップ（波長分離）する波長が波長分離される。
【００３３】
分離波長可変アッド／ドロップ部１５６は、ＷＤＭ信号から分離する信号を１波から複数波長まで自由に設定できる。１波で分離された信号は、トランスポンダ１５８を介してクライアント側に送出される。
【００３４】
ＷＤＭされたまま遠隔地に伝送される複数波長多重信号は、分離された後ＷＤＭ一括送信アンプ１６２で次の短距離ＷＤＭ伝送に適切なレベルに増幅されると共に複数波長分散補償器１６０で次のＷＤＭ伝送性能を確保するための分散補償を行われ、短距離ＷＤＭネットワークに送出される。
【００３５】
ＷＤＭ一括送信アンプ１５４の出力レベルは、ＷＤＭ一括送信アンプ１５４の出力をスペクトラムアナライザ１５３でモニタした結果を基に、アンプ制御器１５４から制御される。また、ＷＤＭ一括送信アンプ１６２の出力レベルもＷＤＭ一括送信アンプ１６２の出力をスペクトラムアナライザ１６３でモニタした結果に基づいてアンプ制御器１６４から制御される。
【００３６】
図６は、短距離ＷＤＭ端末装置２８の一実施例のブロック構成図を示す。同図中、ルータ２８からの１波毎のクライアント信号はトランスポンダ２００を介して波長多重部２４４に供給され、ＳＯＮＥＴ−ＭＵＸ３２からの１波毎のクライアント信号はトランスポンダ２１０を介して波長多重部２４４に入力され、ここで他の１波毎のクライアント信号と波長多重される。波長多重されたＷＤＭ信号は、ＷＤＭ一括送信アンプ２４６にてレベル調整されると共に、複数波長一括分散補償器２４５で次のＷＤＭ伝送性能を確保するための分散補償を行われ長距離ＷＤＭネットワークに送出される。
【００３７】
ＷＤＭ一括送信アンプ２４６の出力レベルは、ＷＤＭ一括送信アンプ２４６の出力をスペクトラムアナライザ２４８でモニタした結果に基づいてアンプ制御器２５０から制御される。
【００３８】
一方、短距離ＷＤＭネットワークで伝送されてきたＷＤＭ信号は、ＷＤＭ一括受信アンプ２５４に供給され、複数波長一括分散補償器２５２で短距離ＷＤＭ伝送により蓄積された分散を補償され、またＷＤＭ一括受信アンプ２５４でレベル調整される。分散補償及びレベル調整されたＷＤＭ信号は、その後、波長分離部２５６で分離される。ＷＤＭ一括送信アンプ２５４の出力レベルは、ＷＤＭ一括送信アンプ２５４の出力をスペクトラムアナライザ２５３でモニタした結果に基づいてアンプ制御器２５５から制御される。
【００３９】
分離波長可変分離部２５６は、ＷＤＭ信号を１波毎に分離してトランスポンダ２００を介してクライアント側（ルータ経由）に送出し、また、トランスポンダ２１０を介してＳＯＮＥＴ−ＭＵＸ３２に送出する。
【００４０】
次に、共通ＥＭＳ端末装置による一括ネットワーク設定及び管理について、説明する。
【００４１】
図４に示す長距離ＷＤＭ端末装置２０，２１には、長距離ＷＤＭ用ＯＳＣ−ＤＣＣ終端部８０，短距離ＷＤＭ用ＯＳＣ−ＤＣＣ終端部８２，ＥＭＳインタフェース終端部８４，ＳＯＮＥＴ−ＤＣＣ終端部８６，メッセージ処理・変換部８８，装置制御部８９が設けられており、ＥＭＳインタフェース終端部８４に共通ＥＭＳ端末装置３４が接続される。
【００４２】
図５に示すＡＤＭ端末装置２０には、長距離ＷＤＭ用ＯＳＣ−ＤＣＣ終端部１８０，短距離ＷＤＭ用ＯＳＣ−ＤＣＣ終端部１８２，ＥＭＳインタフェース終端部１８４，ＳＯＮＥＴ−ＤＣＣ終端部１８６，メッセージ処理・変換部１８８，装置制御部１８９が設けられており、ＥＭＳインタフェース終端部１８４に共通ＥＭＳ端末装置３４が接続される。
【００４３】
図６に示す短距離ＷＤＭ端末装置２８には、短距離ＷＤＭ用ＯＳＣ−ＤＣＣ終端部２８２，ＥＭＳインタフェース終端部２８４，ＳＯＮＥＴ−ＤＣＣ終端部２８６，メッセージ処理・変換部２８８，装置制御部２８９が設けられており、ＥＭＳインタフェース終端部２８４に共通ＥＭＳ端末装置３４が接続される。
【００４４】
ここで、図４に示す共通ＥＭＳ端末装置３４からＴＬ１（Ｔｒａｎｓａｃｔｉｏｎａｌ  Ｌｌａｎｇｕａｇｅ  １）等の言語で自らの長距離ＷＤＭ端末装置２０に対するプロビジョニング情報が含まれたメッセージが伝送されてくると、このメッセージはＥＭＳインタフェース終端部８４を介してメッセージ処理・変換部８８に送られ、そこで自装置に対するメッセージであることを認識し、メッセージの形態を長距離ＷＤＭ端末装置が認識できる形態に変換する。そして、装置制御部８９は変換されたメッセージを基に、長距離ＷＤＭ端末装置２０各部の設定及び保守管理を行う。これによって、長距離ＷＤＭ端末装置２０の複数のトランスポンダそれぞれの出力波長の設定や複数のＷＤＭ一括送信アンプの出力レベルの設定等を行うことができる。
【００４５】
次に、図４に示す共通ＥＭＳ端末装置３４からＴＬ１等の言語で長距離ＷＤＭ端末装置２０に接続された短距離ＷＤＭ端末装置２８に対するプロビジョニング情報が含まれたメッセージが伝送されてくると、このメッセージはＥＭＳインタフェース終端部８４を介してメッセージ処理・変換部８８に送られ、そこで短距離ＷＤＭ端末装置２８に送出すべきメッセージであること、及び送出対象の自らの長距離ＷＤＭ端末装置２０が収容している短距離ＷＤＭ端末装置２８を認識し、メッセージの形態を短距離ＷＤＭ端末装置２８が認識できる形態に変換する。
【００４６】
この変換されたメッセージを基に、短距離ＷＤＭ用ＯＳＣ−ＤＣＣ終端部８２で短距離ＷＤＭ端末装置２８の設定及び保守管理を行うためのＯＳＣ（オプティカル・スーパーバイジング・チャネル）−ＤＣＣ（データ・コミュニケーション・チャネル）を生成する。このＯＳＣ−ＤＣＣは、ＯＳＣ生成部９０で他のデータとともにＯＳＣとして１つの波長とされ、カプラー９１で主信号と合波されＷＤＭ伝送される。
【００４７】
そして、図６に示す短距離ＷＤＭ端末装置２８のデカプラー２９２で長距離ＷＤＭ用のＯＳＣを分離し、ＯＳＣ終端部２９３でＯＳＣ−ＤＣＣを分離する。このＯＳＣ−ＤＣＣは短距離ＷＤＭ用のＯＳＣ−ＤＣＣ終端部２８２を介してメッセージ処理・変換部２８８に送られ、そこで短距離ＷＤＭ端末装置２８に送出すべきメッセージであることを認識し、メッセージの形態を短距離ＷＤＭ端末装置２８が認識できる形態に変換する。そして、装置制御部２８９は変換されたメッセージを基に、短距離ＷＤＭ端末装置２８各部の設定及び保守管理を行う。
【００４８】
なお、短距離ＷＤＭ端末装置２８に収容されているＳＯＮＥＴ−ＭＵＸ３２の設定及び保守管理を行う場合には、ＯＳＣ終端部２９３で分離したＯＳＣ−ＤＣＣはメッセージ処理・変換部２８８でＳＯＮＥＴ−ＭＵＸ３２に送出すべきメッセージであることを認識し、メッセージの形態をＳＯＮＥＴ−ＭＵＸ３２が認識できる形態に変換する。
【００４９】
この変換されたメッセージを基に、ＳＯＮＥＴ−ＤＣＣ終端部２８６でＳＯＮＥＴ−ＭＵＸ３２の設定及び保守管理を行うためのＯＳＣ−ＤＣＣを生成してトランスポンダ２１０を介しＳＯＮＥＴ−ＭＵＸ３２に伝送して、ＳＯＮＥＴ−ＭＵＸ３２の設定及び保守管理が行われる。
【００５０】
これによって、短距離ＷＤＭ端末装置２８及びＳＯＮＥＴ−ＭＵＸ３２の複数のトランスポンダそれぞれの出力波長の設定や複数のＷＤＭ一括送信アンプの出力レベルの設定等を行うことができる。
【００５１】
次に、図４に示す共通ＥＭＳ端末装置３４からＴＬ１等の言語で長距離ＷＤＭのＷＤＭ−ＡＤＭ装置２２に収容されている短距離ＷＤＭ端末装置２８のプロビジョニング情報が含まれたメッセージが送出されてくると、このメッセージはＥＭＳインタフェース終端部８４を介してメッセージ処理・変換部８８に送られ、そこで短距離ＷＤＭ端末装置２８に送出すべきメッセージであること、及び送出対象の短距離ＷＤＭ端末装置２８を認識し、送出対象の短距離ＷＤＭ端末装置２８がＷＤＭ−ＡＤＭ装置２２に収容されているためメッセージの形態をＷＤＭ−ＡＤＭ装置２２が認識できる形態に変換する。
【００５２】
変換されたメッセージを基に、ＯＳＣ−ＤＣＣ終端部８０で長距離ＷＤＭ用のＯＳＣ−ＤＣＣを生成する。長距離ＷＤＭ用のＯＳＣ−ＤＣＣは、ＯＳＣ生成部９０で他のデータとともにＯＳＣとして１つの波長となり、カプラー９１で主信号と合波されＷＤＭ伝送される。
【００５３】
そして、図５に示すＷＤＭ−ＡＤＭ装置２２のデカプラー１９２で長距離ＷＤＭ用のＯＳＣを分離し、ＯＳＣ終端部１９３でＯＳＣ−ＤＣＣを分離する。このＯＳＣ−ＤＣＣは長距離ＷＤＭ用のＯＳＣ−ＤＣＣ終端部１８０を介してメッセージ処理・変換部１８８に送られ、そこで短距離ＷＤＭ端末装置に送出すべきメッセージであること、及び送出対象が自らのＷＤＭ−ＡＤＭ装置２２が収容している短距離ＷＤＭ端末装置２８を認識し、メッセージの形態を短距離ＷＤＭ端末装置２８が認識できる形態に変換する。
【００５４】
変換されたメッセージを基に、短距離ＷＤＭ用のＯＳＣ−ＤＣＣ終端部１８２で短距離ＷＤＭ端末装置用のＯＳＣ−ＤＣＣを生成する。短距離ＷＤＭ端末装置用のＯＳＣ−ＤＣＣは、ＯＳＣ生成部１９４で他のデータとともにＯＳＣとして１つの波長となり、カプラー１９５で主信号と合波されＷＤＭ伝送される。
【００５５】
そして、図６に示す短距離ＷＤＭ端末装置２８のデカプラー２９２で長距離ＷＤＭ用のＯＳＣを分離し、ＯＳＣ終端部２９３でＯＳＣ−ＤＣＣを分離する。このＯＳＣ−ＤＣＣは短距離ＷＤＭ用のＯＳＣ−ＤＣＣ終端部２８２を介してメッセージ処理・変換部２８８に送られ、そこで短距離ＷＤＭ端末装置２８に送出すべきメッセージであることを認識し、メッセージの形態を短距離ＷＤＭ端末装置２８が認識できる形態に変換する。そして、装置制御部２８９は変換されたメッセージを基に、短距離ＷＤＭ端末装置２８各部の設定及び保守管理を行う。
【００５６】
これによって、短距離ＷＤＭ端末装置２８及びそれに収容されているＳＯＮＥＴ−ＭＵＸ３２の複数のトランスポンダそれぞれの出力波長の設定や複数のＷＤＭ一括送信アンプの出力レベルの設定等を行うことができる。
【００５７】
次に、図３において、短距離ＷＤＭ端末装置２８，長距離ＷＤＭ端末装置２０，ＷＤＭ−ＡＤＭ装置２２，短距離ＷＤＭ端末装置２８というルートで、ある特定波長を使用してルータ２６とルータ２７の間に伝送路を提供しているものとする。
【００５８】
この状態で長距離ＷＤＭ端末装置２０は、ＷＤＭ−ＡＤＭ装置２２から受信しているＷＤＭ信号を常時モニタしているが、上記特定波長に対して受信レベルダウン等の異常を検出した場合、長距離ＷＤＭ端末装置２０は、共通ＥＭＳ端末装置３４に格納されている波長管理テーブルを通してルートの全区間を通して使用可能な波長を検索し、新たな波長を割当てる。
【００５９】
新たに割当てた波長は、図４に示す短距離ＷＤＭ用のＯＳＣ−ＤＣＣ８２を使用してルータ２６を収容する短距離ＷＤＭ端末装置２８に通知され、長距離ＷＤＭ用のＯＳＣ−ＤＣＣ８０を使用してＷＤＭ−ＡＤＭ装置２２に通知され、長距離ＷＤＭ用のＯＳＣ−ＤＣＣ８０、及びＷＤＭ−ＡＤＭ装置２２で変換された短距離ＷＤＭ用のＤＣＣを使用してルータ２７を収容する短距離ＷＤＭ端末装置２８に通知される。
【００６０】
ルータ２７を収容する短距離ＷＤＭ端末装置２８では、自装置内のトランスポンダの出力波長を新たに割当てられた波長に変更する。長距離ＷＤＭ用のＷＤＭ−ＡＤＭ装置２２では新たな波長を収容するために、図５に示す分離波長可変アッド／ドロップ部１４４，１５６の設定を変更する。長距離ＷＤＭ端末装置２０では新たな波長をルータ２６を収容する短距離ＷＤＭ端末装置２８に送出するために、図４に示す分離波長可変波長分離部５６の設定を変更する。ルータ２６を収容する短距離ＷＤＭ端末装置２８では受信した新たな波長をルータ２６に送出すべき信号として扱う。このようにして、長距離ＷＤＭ端末装置２０は特定波長に対して受信レベルダウン等の異常を検出した場合、新たな波長を割当てることができる。
【００６１】
次に、図３において、短距離ＷＤＭ端末装置２８，長距離ＷＤＭ端末装置２０，ＷＤＭ−ＡＤＭ装置２２，短距離ＷＤＭ端末装置２８というルートで、ある特定波長を使用してルータ２６とルータ２７の間に伝送路を提供しているものとする。
【００６２】
この状態でＷＤＭ−ＡＤＭ装置２２は、長距離ＷＤＭ端末装置２０から受信しているＷＤＭ信号を常時モニタしているが、ルートの波長に対して受信レベルダウン等の異常を検出した場合、ＷＤＭ−ＡＤＭ装置２２は、共通ＥＭＳ端末装置３４に格納されている波長管理テーブルを通してルート全区間を通して使用可能な波長を検索し、新たな波長を割当てる。
【００６３】
新たに割当てた波長は、短距離ＷＤＭ用のＯＳＣ−ＤＣＣ８２を使用してルータ２７を収容する短距離ＷＤＭ端末装置２８に通知され、長距離ＷＤＭ用のＯＳＣ−ＤＣＣ８０を使用して長距離ＷＤＭ端末装置２０に通知され、長距離ＷＤＭ用のＯＳＣ−ＤＣＣ８０、及び長距離ＷＤＭ端末装置２０で変換された短距離ＷＤＭ用のＤＣＣを使用してルータ２６を収容する短距離ＷＤＭ端末装置２８に通知される。
【００６４】
ルータ２７を収容する短距離ＷＤＭ端末装置２８では自装置内のトランスポンダの出力波長を変更する。長距離ＷＤＭ用のＷＤＭ−ＡＤＭ装置２２では新たな波長をドロップするために、図５に示す分離波長可変アッド／ドロップ部１５６の設定を変更する。短距離ＷＤＭ端末装置２８では受信した新たな波長をルータ２７に送出すべき信号として扱う。このようにして、ＷＤＭ−ＡＤＭ装置２２は特定波長に対して受信レベルダウン等の異常を検出した場合、新たな波長を割当てることができる。
【００６５】
次に、図４において、短距離ＷＤＭ端末装置２８で発生したアラームメッセージが短距離ＷＤＭ用のＯＳＣ−ＤＣＣで短距離ＷＤＭ用のＯＳＣ−ＤＣＣ終端部８２を介してメッセージ処理・変換部８８に送られたものとする。メッセージ処理・変換部８８では、共通ＥＭＳ端末装置３４に送出すべきメッセージであること、及び対象の短距離ＷＤＭ端末装置２８を認識し（ここでは自らの長距離ＷＤＭ端末装置２０が収容している短距離ＷＤＭ端末装置とする）、メッセージの形態を共通ＥＭＳ端末装置３４が認識できる形態に変換する。変換されたメッセージはＥＭＳインタフェース終端部８４を介し、その他のメッセージと合わせて共通ＥＭＳ端末装置３４に送出される。
【００６６】
次に、図５に示すＷＤＭ−ＡＤＭ装置２２において、短距離ＷＤＭ端末装置２８で発生したアラームメッセージが短距離ＷＤＭ用のＯＳＣ−ＤＣＣで伝送されてきたものとする。この場合、メッセージは短距離ＷＤＭ用のＯＳＣ−ＤＣＣ終端部１８２を介してメッセージ処理・変換部１８８に送られ、そこで長距離ＷＤＭ端末装置に接続されている共通ＥＭＳ端末装置３４に送出すべきメッセージであること、及び対象の短距離ＷＤＭ端末装置２８を認識し（ここでは自らのＡＤＭが収容している短距離ＷＤＭ端末装置とする）、メッセージの形態を長距離ＷＤＭ端末装置２０が認識できる形態に変換する。
【００６７】
そして、変換されたメッセージを基に、長距離ＷＤＭ用のＯＳＣ−ＤＣＣ終端部１８０で長距離ＷＤＭ用の用のＯＳＣ−ＤＣＣを生成する。長距離ＷＤＭ用のＯＳＣ−ＤＣＣは、ＯＳＣ生成部１９４で他のデータとともにＯＳＣとして１つの波長とされ、カプラー１９５で主信号と合波されＷＤＭ伝送される。
【００６８】
これにより、ＷＤＭ−ＡＤＭ装置２２が収容している短距離ＷＤＭ端末装置２８で発生したアラームメッセージが、図４に示す長距離ＷＤＭ端末装置２０に長距離ＷＤＭ用のＯＳＣ−ＤＣＣで伝送されてくる。このメッセージは長距離ＷＤＭ用のＯＳＣ−ＤＣＣ終端部８０を介してメッセージ処理・変換部８８に送られ、そこで共通ＥＭＳ端末装置３４に送出すべきメッセージであること、及び対象の短距離ＷＤＭ端末装置２８を認識し（ここでは対向するＷＤＭ−ＡＤＭ装置２２が収容している短距離ＷＤＭ端末装置２８とする）、メッセージの形態を共通ＥＭＳ端末装置３４が認識できる形態に変換する。変換されたメッセージはＥＭＳインタフェース終端部８４を介してその他のメッセージと合わせて共通ＥＭＳ端末装置３４に送出される。これによって、ＷＤＭネットワークを構成するＷＤＭ端末装置及びＷＤＭ−ＡＤＭ装置及びＳＯＮＥＴ装置それぞれのアラーム監視を一カ所で行うことができる。
【００６９】
次に、図３において、長距離ＷＤＭ端末装置２０は短距離ＷＤＭ端末装置２８から受信しているＷＤＭ信号を常時モニタしており、光ファイバ等の状態の変化による受信ＷＤＭ信号のレベルが変化したことを検出したものとする。
【００７０】
受信レベルの変化は、長距離ＷＤＭ端末装置２０から短距離ＷＤＭ用のＯＳＣ−ＤＣＣを使用して短距離ＷＤＭ端末装置２８に通知され、通知を受けた短距離ＷＤＭ端末装置２８は自装置内部の図６に示すＷＤＭ一括送信アンプ２４６の出力レベルが最適値になるよう自動調整を行う。これによって、正常なＷＤＭ伝送を確保することができる。
【００７１】
次に、図３において、長距離ＷＤＭ用のＷＤＭ−ＡＤＭ装置２２は短距離ＷＤＭ端末装置２８から受信しているＷＤＭ信号を常時モニタしており、光ファイバー等の状態の変化による受信ＷＤＭ信号のレベルが変化したことを検出したものとする。受信レベルの変化は、短距離ＷＤＭ用のＯＳＣ−ＤＣＣを使用してＷＤＭ−ＡＤＭ装置２２が収容する短距離ＷＤＭ端末装置２８に通知され、通知を受けた短距離ＷＤＭ端末装置２８は、図６に示す自装置内部のＷＤＭ一括送信アンプ２４６の出力レベルが最適値になるよう自動調整を行う。これによって、正常なＷＤＭ伝送を確保することができる。
【００７２】
このように、波長多重されているクライアント信号を分離することなく、そのまま次段の長距離ＷＤＭシステムに収容及び伝送することで、クライアント信号を分離するためのＷＤＭ−ＤＥＭＵＸ及びトランスポンダ、また次段の長距離ＷＤＭシステムに収容するための送信トランスポンダを削除することが可能となり、結果として低コストでクライアント信号を収容することが可能となる。
【００７３】
また、遠隔の一個所に伝送すべき波長多重されているクライアント信号を個々に分離することなく、そのまま遠隔地までＷＤＭ伝送することで、クライアント信号を分離するためのＷＤＭ−ＤＥＭＵＸ及びトランスポンダ、また遠隔までＷＤＭ伝送するためのトランスポンダ及びＷＤＭ−ＭＵＸを削減することが可能となり、結果として低コストでのクライアント信号の送信が可能となる。
【００７４】
更に、ＥＭＳインタフェースや長距離ＷＤＭネットワークでデータリンクパスとして使用している長距離ＷＤＭ用のＯＳＣ−ＤＣＣ、短距離ＷＤＭネットワークでデータリンクパスとして使用している短距離ＷＤＭ用のＯＳＣ−ＤＣＣ、ＳＯＮＥＴネットワーク内でデータリンクパスとして使用しているＳＯＮＥＴ−ＤＣＣそれぞれの間で、相互にメッセージ変換を行うことで、一個所に接続した共通ＥＭＳから一括してネットワーク全体を設定及び管理できるようになる。
【００７５】
なお、長距離ＷＤＭ端末装置２０，短距離ＷＤＭ端末装置２８が請求項記載のＷＤＭ端末装置に対応し、波長多重部４４が多重手段に対応し、分離波長可変分離部５６が分離手段に対応し、分離波長可変アッド／ドロップ部１４４がアッド手段及びドロップ手段に対応し、共通ＥＭＳ端末装置３４がプロビジョニング手段及びアラーム監視手段及び出力レベル調整手段を持つ管理装置に対応する。
【００７６】
（付記１）  複数のクライアント信号を波長多重して伝送するＷＤＭネットワークのＷＤＭ端末装置において、
波長多重されてきた複数のクライアント信号に波長多重した状態で、他の１波毎のクライアント信号または他の波長多重された複数のクライアント信号の少なくともいずれかを波長多重して伝送する多重手段を
有することを特徴とするＷＤＭ端末装置。
【００７７】
（付記２）  複数のクライアント信号を波長多重して伝送するＷＤＭネットワークのＷＤＭ端末装置において、
波長多重されてきた複数のクライアント信号から一カ所に伝送すべき複数のクライアント信号を波長多重した状態で分離し、分離した複数のクライアント信号を波長多重した状態で伝送する分離手段を
有することを特徴とするＷＤＭ端末装置。
【００７８】
（付記３）  複数のクライアント信号を波長多重して伝送するＷＤＭネットワークにおいて、
ＷＤＭ端末装置に接続されており、ＷＤＭネットワークの全てのＷＤＭ端末装置及びＷＤＭ−ＡＤＭ装置及びＷＤＭ端末装置に接続されているＳＯＮＥＴ装置をプロビジョニングするプロビジョニング手段を
有することを特徴とするＷＤＭネットワーク。
【００７９】
（付記４）  複数のクライアント信号を波長多重して伝送するＷＤＭネットワークにおいて、
ＷＤＭ端末装置に接続されており、ＷＤＭネットワークの全てのＷＤＭ端末装置及びＷＤＭ−ＡＤＭ装置及びＷＤＭ端末装置に接続されているＳＯＮＥＴ装置のアラーム監視を行うアラーム監視手段を
有することを特徴とするＷＤＭネットワーク。
【００８０】
（付記５）  複数のクライアント信号を波長多重して伝送するＷＤＭネットワークにおいて、
ＷＤＭ端末装置に接続されており、ＷＤＭネットワークの全てのＷＤＭ端末装置及びＷＤＭ−ＡＤＭ装置で検出した受信信号レベルに基づいて各ＷＤＭ端末装置及びＷＤＭ−ＡＤＭ装置の信号出力レベルを調整する出力レベル調整手段を
有することを特徴とするＷＤＭネットワーク。
【００８１】
（付記６）  複数のクライアント信号を波長多重して伝送するＷＤＭネットワークでクライアント信号をアッドまたはドロップするＷＤＭ−ＡＤＭ装置において、
波長多重されて伝送されてきた複数のクライアント信号を波長多重した状態で、他の波長多重された複数のクライアント信号にアッドして伝送するアッド手段を
有することを特徴とするＷＤＭ−ＡＤＭ装置。
【００８２】
（付記７）  複数のクライアント信号を波長多重して伝送するＷＤＭネットワークでクライアント信号をアッドまたはドロップするＷＤＭ−ＡＤＭ装置において、
波長多重されて伝送されてきた複数のクライアント信号から一カ所に伝送すべき複数のクライアント信号を波長多重した状態でドロップし、分離した複数のクライアント信号を波長多重した状態で伝送するドロップ手段を
有することを特徴とするＷＤＭ−ＡＤＭ装置。
【００８３】
【発明の効果】
上述の如く、請求項１に記載の発明は、ＷＤＭ端末装置に接続されており、ＷＤＭネットワークの全てのＷＤＭ端末装置及びＷＤＭ−ＡＤＭ装置及びＷＤＭ端末装置に接続されているＳＯＮＥＴ装置をプロビジョニングするプロビジョニング手段と、ＷＤＭネットワークの全てのＷＤＭ端末装置及びＷＤＭ−ＡＤＭ装置及びＷＤＭ端末装置に接続されているＳＯＮＥＴ装置のアラーム監視を行うアラーム監視手段と、ＷＤＭネットワークの全てのＷＤＭ端末装置及びＷＤＭ−ＡＤＭ装置で検出した受信信号レベルに基づいて各ＷＤＭ端末装置及びＷＤＭ−ＡＤＭ装置の信号出力レベルを調整する出力レベル調整手段を有することにより、ＷＤＭネットワークを構成する長距離ＷＤＭ端末装置及び短距離ＷＤＭ端末装置及びＷＤＭ−ＡＤＭ装置及びＳＯＮＥＴ装置が伝送する各クライアント信号の波長を異ならせることができ、遠隔地の短距離ＷＤＭ端末装置から伝送される波長多重されたクライアント信号を１波毎に分離することなく他のクライアント信号にアッドできるので波長多重することができ、ＷＤＭネットワークを構成するＷＤＭ端末装置及びＷＤＭ−ＡＤＭ装置及びＳＯＮＥＴ装置それぞれのアラーム監視を一カ所で行うことができ、ＷＤＭネットワークを構成するＷＤＭ端末装置及びＷＤＭ−ＡＤＭ装置及びＳＯＮＥＴ装置それぞれの信号出力レベルをリアルタイムに最適値に自動調整することができる。
【図面の簡単な説明】
【図１】従来方法を用いたＷＤＭシステムの一例のシステム構成図である。
【図２】従来方法を用いたＷＤＭシステムの他の一例のシステム構成図である。
【図３】本発明を用いたＷＤＭシステムの一実施例のシステム構成図である。
【図４】長距離ＷＤＭ端末装置の一実施例のブロック構成図である。
【図５】ＷＤＭ−ＡＤＭ装置の一実施例のブロック構成図である。
【図６】短距離ＷＤＭ端末装置の一実施例のブロック構成図である。
【符号の説明】
１０  受信部
２０，２１  長距離ＷＤＭ端末装置
２２  ＷＤＭ−ＡＤＭ装置
２４  ルータ
２６  ルータ
２８  短距離ＷＤＭ端末装置
３０  ルータ
３２  ＳＯＮＥＴ−ＭＵＸ
【図１】
0003798642.tif 000002
【図２】
0003798642.tif 000003
【図３】
0003798642.tif 000004
【図４】
0003798642.tif 000005
【図５】
0003798642.tif 000006
【図６】
0003798642.tif 000007